【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
ケーシングの内側面への固定に適応した流れスリーブであって、
少なくとも２つの円弧状セグメントであって、各円弧状セグメントは、基部と、該基部から半径方向外側に延びる一対の側壁であって、周囲方向に延びる流れチャンネルを前記側壁間に形成して、前記スリーブに供給される空気を周囲方向に送るようにしている一対の側壁と、を備える少なくとも２つの円弧状セグメントと、
前記基部における複数の流れ開口部であって、空気を半径方向内側方向に送るための複数の流れ開口部と、
前記スリーブを前記ケーシングの前記内側面に固定するための取付け特徴部であって、該取付け特徴部によって、前記流れスリーブの設置時に、実質的に一定の半径方向の間隙が前記側壁と前記内側面との間に設けられることで、空気が前記外部ケーシングの前記内側面に沿って軸方向に対向方向に流れることができる、取付け特徴部と、
を備える、流れスリーブ。
【請求項２】
少なくとも１つの周囲方向に延びるフィンが、前記基部の対向する端部のすぐ近くに設けられて、前記基部の前記対向する端部に流路が少なくとも部分的に形成される、請求項１に記載の流れスリーブ。
【請求項３】
複数のフィンが、前記基部の対向する端部のすぐ近くに配列されることで複数の流路が形成され、各流路は、前記基部における少なくとも１つの対応する、半径方向に配向された開口部に向けて空気を送るように適合されている、請求項１に記載の流れスリーブ。
【請求項４】
前記基部に沿って設けられた少なくとも１つの画定された流路と、前記流路内の前記基部上の表面特徴部であって、前記少なくとも１つの画定された流路内の空気を捕らえて方向転換させて、前記基部における半径方向に配向された開口部内に入れる表面特徴部と、をさらに備える、請求項１に記載の流れスリーブ。
【請求項５】
前記少なくとも１つの半径方向に配向された開口部には、前記基部の底面から突き出る半径方向に配向された噴射ノズルに対する入口が含まれる、請求項３に記載の流れスリーブ。
【請求項６】
前記側壁は該外部ケーシングの該内側面に対して湾曲していて、設置時に、半径方向の間隙が前記側壁と前記内側面との間に形成されることで、空気が該外部ケーシングの該内側面に沿って軸方向に対向方向に流れることが可能になっている、請求項１に記載の流れスリーブ。
【請求項７】
複数の半径方向に配向された噴射ノズルを前記基部の選択部分内にさらに備える、請求項１に記載の流れスリーブ。
【請求項８】
ケーシングの内側面への固定に適応した流れスリーブであって、
少なくとも２つの円弧状セグメントであって、各円弧状セグメントは、
基部と、
該基部から半径方向外側に延びる一対の側壁であって、周囲方向に延びる流れチャンネルを前記側壁間に形成して、前記スリーブに供給される空気を周囲方向に送るようにしている一対の側壁と、
を備え、
前記少なくとも２つの円弧状セグメントには、４つの円弧状セグメントであって、各周囲範囲が０度を超えて実質的に９０度までの４つの円弧状セグメントが含まれる、
少なくとも２つの円弧状セグメントと、
前記基部における複数の流れ開口部であって、空気を半径方向内側方向に送るための複数の流れ開口部と、
を備える、流れスリーブ。
【請求項９】
ガス・タービン・エンジン内の１または複数のタービン段を囲むように適合された内部および外部シェルであって、前記内部および外部シェルによってそれらの間で半径方向に空洞が形成され、前記外部シェルには前記空洞に対する空気入口が設けられている、内部および外部シェルと、
前記外部シェルの内側面に固定された流れスリーブであって、前記空洞内において、前記流れスリーブは、少なくとも２つの円弧状セグメントであって、各円弧状セグメントは、基部と、該基部から半径方向外側に延びる一対の側壁であって、周囲方向に延びる流れチャンネルを前記空気入口の半径方向内側に形成する一対の側壁と、を備える少なくとも２つの円弧状セグメントを備え、前記流れチャンネルは前記基部、前記側壁、および前記内側面によって画定され、前記流れチャンネルは、空気を前記内側面に沿って対向する周方向および軸方向に流すように適合されている、流れスリーブと、
前記基部における複数の流れ開口部であって、前記流れチャンネル内の該空気の一部を半径方向に前記空洞内に送るための複数の流れ開口部と、
を備える、タービン・ケーシング。
【請求項１０】
少なくとも１つの周囲方向に延びるフィンが、前記基部の対向する端部のすぐ近くに設けられて、前記基部の前記対向する端部に流路が少なくとも部分的に形成される、請求項９に記載のタービン・ケーシング。
【請求項１１】
複数のフィンが、前記基部の対向する端部のすぐ近くに配列されることで、複数の流路であって、各流路は、前記基部における少なくとも１つの対応する、半径方向に配向された開口部に向けて空気を送るように適合されている複数の流路が形成される、請求項１０に記載のタービン・ケーシング。
【請求項１２】
前記基部に沿って設けられた少なくとも１つの画定された流路と、前記流路内の前記基部上の表面特徴部であって、前記少なくとも１つの画定された流路内の空気を捕らえて方向転換させて、前記基部における半径方向に配向された開口部を通して前記空洞内に入れるための表面特徴部をさらに備える、請求項９に記載のタービン・ケーシング。
【請求項１３】
前記開口部には、前記基部の底面から前記空洞内に突き出る半径方向に配向された噴射ノズルに対する入口が含まれる、請求項１２に記載のタービン・ケーシング。
【請求項１４】
前記側壁は該外部ケーシングの該内側面に対して湾曲していて、設置時に、半径方向の間隙が前記側壁と前記内側面との間に形成されることで、前記流れチャンネル内の空気が前記外部シェルの該内側面に沿って軸方向に対向方向に流れることが可能になっている、請求項９に記載のタービン・ケーシング。
【請求項１５】
該スリーブを該ケーシングの該内側面に固定するための取付け特徴部によって、該流れスリーブの設置時に、実質的に一定の半径方向の間隙が前記側壁と前記内側面との間に設けられることで、空気が該外部ケーシングの該内側面に沿って軸方向に対向方向に流れることができる、請求項９に記載のタービン・ケーシング。
【請求項１６】
前記少なくとも２つの円弧状セグメントには、４つの円弧状セグメントであって、各周囲範囲が０度を超えて実質的に９０度までの４つの円弧状セグメントが含まれる、請求項９に記載のタービン・ケーシング。
【請求項１７】
複数の半径方向内側に配向された噴射ノズルを前記基部の選択部分内にさらに備える、請求項９に記載のタービン・ケーシング。
【請求項１８】
ガス・タービン・エンジン内の１または複数のタービン段を囲むように適合された少なくとも１つのシェルと、
前記少なくとも１つのシェル内の空気入口と、
前記少なくとも１つのシェルの内側面に固定された流れスリーブであって、前記流れスリーブは、少なくとも２つの円弧状セグメントであって、各円弧状セグメントは、基部と、該基部から半径方向外側に延びる一対の側壁であって、前記基部、前記側壁、および前記内側面によって画定される周囲方向に延びる流れチャンネルを形成する一対の側壁と、を備える少なくとも２つの円弧状セグメントを備え、前記空気入口は前記流れチャンネルと位置合わせされている流れスリーブと、
を備え、
前記流れスリーブは、前記チャンネル内を流れる空気を、前記１または複数のタービン段のすぐ近くのスペースであって、前記少なくとも１つのシェルの前記内側面に沿う方向を含む周方向、半径方向、および軸方向のスペース内に分配するように構成されている、
タービン・ケーシング。
【請求項１９】
前記少なくとも１つのシェルは、該ガス・タービン・エンジン内の１または複数のタービン段を囲むように適合された内部および外部シェルであって、それらの間で半径方向に空洞が形成された内部および外部シェルを備え、前記環状スリーブが前記空洞内の前記外部シェルの内側面に固定されている、請求項１８に記載のタービン・ケーシング。